(57)【要約】【課題】ＴＶ電話中に、ワンタッチで、自分から相手、または相手から自分への音声音声及び映像のＯＮ／ＯＦＦのモードを変更可能とする。【解決手段】ＴＶ電話機能付き携帯電話端末は、映像と音声のＯＮ／ＯＦＦの設定をひとつの組（モード）とし、各設定の組に、テンキーの１つずつを割当てている。例えば、自分から相手への送信の場合、設定１は、映像及び音声ともにＯＮ（送信）とし、「７」キーを割当てる。設定２は、映像はＯＮ、音声はＯＦＦ（送信停止）とし、「８」キーを割当てる。設定３は、映像はＯＦＦ、音声はＯＮとし、「９」キーを割当てる。ＴＶ電話中に、７〜９キーを押下することにより、ワンタッチで設定を切替えることができる。相手から自分への映像と音声のＯＮ／ＯＦＦの設定も同様にすることができる。【選択図】      図５
2006100980.tif 000002
【特許請求の範囲】
【請求項１】
移動通信網を含む網を介して相手の端末と接続され、ＴＶ電話のための映像情報及び音声情報を送受信するＴＶ電話機能付き携帯電話端末において、
前記映像情報に対しＯＮまたはＯＦＦのいずれが設定されているか判定し、ＯＮならば当該映像情報に対する所定の処理を実行し、ＯＦＦならば当該映像情報に対する所定の処理を実行しない手段と、
前記音声情報に対しＯＮまたはＯＦＦのいずれが設定されているか判定し、ＯＮならば当該音声情報に対する所定の処理を実行し、ＯＦＦならば当該音声情報に対する所定の処理を実行しない手段と、
前記映像情報に対するＯＮ設定、またはＯＦＦ設定と、前記音声情報に対するＯＮ設定、またはＯＦＦ設定との複数の組合わせを、それぞれ対応する複数の設定種別として登録する手段と、
前記複数の設定種別のうちのいずれか１つの設定種別を指定する入力情報を受け付ける手段と、
前記入力情報により指定された設定種別に基づいて、前記映像情報に対するＯＮまたはＯＦＦのいずれかの設定と、前記音声情報に対するＯＮまたはＯＦＦのいずれかの設定とを同時に行う手段とを備えることを特徴とするＴＶ電話機能付き携帯電話端末。
【請求項２】
前記複数の設定種別の各々と、互いに異なるテンキーのうちのいずれか１つのキーとの対応情報を登録する手段を備え、
前記登録されたテンキーのうちのいずれか１つのキーが押下されたことを検出すると、当該キー情報を前記設定種別を指定する入力情報とすることを特徴とする請求項１記載のＴＶ電話機能付き携帯電話端末。
【請求項３】
前記映像情報に対する所定の処理は、自端末から相手端末への映像情報の送信処理であり、前記音声情報に対する所定の処理は、自端末から相手端末への音声情報の送信処理であることを特徴とする請求項１、または２記載のＴＶ電話機能付き携帯電話端末。
【請求項４】
前記映像情報に対する所定の処理は、相手端末から自端末へ送信された映像情報の可視表示処理であり、前記音声情報に対する所定の処理は、相手端末から自端末へ送信された音声情報の可聴出力処理であることを特徴とする請求項１、または２記載のＴＶ電話機能付き携帯電話端末。
【請求項５】
前記映像情報に対する所定の処理は、自端末から相手端末への映像情報の送信処理と、相手端末から自端末へ送信された映像情報の可視表示処理とであるとともに、前記音声情報に対する所定の処理は、自端末から相手端末への音声情報の送信処理と、相手端末から自端末へ送信された音声情報の可聴出力処理とであり、
前記映像情報に対するＯＮ設定、またはＯＦＦ設定を、自端末から相手端末への映像情報と、相手端末から自端末への映像情報とでそれぞれ別々に設定するとともに、前記音声情報に対するＯＮ設定、またはＯＦＦ設定とを、自端末から相手端末への音声情報と、相手端末から自端末への音声情報とでそれぞれ別々に設定することを特徴とする請求項１、または２記載のＴＶ電話機能付き携帯電話端末。
【請求項６】
前記映像情報に対するＯＮ設定、またはＯＦＦ設定と、前記音声情報に対するＯＮ設定、またはＯＦＦ設定との全組合せのうちのいずれの組合わせを前記設定種別として登録するかの指定、及び前記登録対象の設定種別にいずれのキーを対応させるかの指定のうち、少なくともいずれか一方の指定を含む入力情報を受け付ける手段を有することを特徴とする請求項２記載のＴＶ電話機能付き携帯電話端末。
【請求項７】
前記ＯＦＦ設定された映像情報及び前記音声情報を、再生処理可能な記憶手段に記憶させる手段を有することを特徴とする請求項３、４、または５記載のＴＶ電話機能付き携帯電話端末。
【請求項８】
移動通信網を含む網を介して相手の端末と接続され、ＴＶ電話のための映像情報及び音声情報を送受信するＴＶ電話機能付き携帯電話端末における、映像情報及び音声情報とに対する所定の処理の実行／不実行を制御する方法であり、
設定種別を指定する入力情報を受け付け、
あらかじめ登録された、前記映像情報に対するＯＮ設定、またはＯＦＦ設定と、前記音声情報に対するＯＮ設定、またはＯＦＦ設定との複数の組合わせにそれぞれ対応する複数の設定種別を、前記指定された設定種別で検索し、
前記指定された設定種別に対応する、前記映像情報に対するＯＮまたはＯＦＦのいずれかの設定と、前記音声情報に対するＯＮまたはＯＦＦのいずれかの設定とを同時に行い、
前記映像情報に対し、ＯＮ設定していれば、当該映像情報に対する所定の処理を実行し、ＯＦＦ設定していれば、当該映像情報に対する所定の処理を実行せず、
前記音声情報に対し、ＯＮ設定していれば、当該音声情報に対する所定の処理を実行し、ＯＦＦ設定していれば、当該音声情報に対する所定の処理を実行しないことを特徴とする映像及び音声のＯＮ／ＯＦＦ制御方法。
【請求項９】
テンキーのうちのいずれかのキーが押下されたことを検出し、
あらかじめ登録された、前記複数の設定種別にそれぞれ対応するテンキーを、前記押下されたキーで検索し、
前記押下されたキーに対応する設定種別を、前記入力情報で指定された設定種別とすることを特徴とする請求項８記載の映像及び音声のＯＮ／ＯＦＦ制御方法。
【請求項１０】
前記映像情報に対する所定の処理は、自端末から相手端末への映像情報の送信処理と、相手端末から自端末へ送信された映像情報の可視表示処理とであるとともに、前記音声情報に対する所定の処理は、自端末から相手端末への音声情報の送信処理と、相手端末から自端末へ送信された音声情報の可聴出力処理とであり、
前記映像情報に対するＯＮ設定、またはＯＦＦ設定を、自端末から相手端末への映像情報と、相手端末から自端末への映像情報とでそれぞれ別々に設定するとともに、前記音声情報に対するＯＮ設定、またはＯＦＦ設定とを、自端末から相手端末への音声情報と、相手端末から自端末への音声情報とでそれぞれ別々に設定することを特徴とする請求項８、または９記載の映像及び音声のＯＮ／ＯＦＦ制御方法。
【請求項１１】
前記映像情報に対するＯＮ設定、またはＯＦＦ設定と、前記音声情報に対するＯＮ設定、またはＯＦＦ設定との全組合せのうちのいずれの組合わせを前記設定種別として登録するかの指定、及び前記登録対象の設定種別にいずれのキーを対応させるかの指定のうち、少なくともいずれか一方の指定を含む入力情報を受け付けることを特徴とする請求項９記載の映像及び音声のＯＮ／ＯＦＦ制御方法。
【請求項１２】
前記ＯＦＦ設定された映像情報及び前記音声情報を、再生処理可能な記憶手段に記憶させることを特徴とする請求項１０記載の映像及び音声のＯＮ／ＯＦＦ制御方法。
【発明の詳細な説明】
【技術分野】
【０００１】
本発明は、ＴＶ電話機能の付いた携帯電話端末と、そのＴＶ電話中の映像情報と音声情報とに対するＯＮ（所定の処理の実行）／ＯＦＦ（所定の処理の不実行）の制御方法とに関するものである。
【背景技術】
【０００２】
従来のＴＶ（テレビ）電話機能付き携帯電話端末では、ＴＶ電話を行うときに自分の映像を相手方に見せたくないときには画像を出さない設定にしたり、代替えの画像を流す設定としていた（例えば、特許文献１参照）。
【０００３】
また、音声については、相手の声を大きくしたくなかったら通話中に音量調整を行ったり、クイックサイレントモードの設定としていた（例えば、特許文献２参照）。
【０００４】
しかし、映像については、上述した制御（自分から相手方への画像を見せる、見せないの選択）とは逆方向の制御（相手方から自分へ送られてくる画像を見る、見ないの選択）を行うものはなかった。ただし、使用者の操作でなく、タイマー制御により、ＴＶ電話開始後に一定時間経過すると、相手方から自分へ送られてくる画像を見ないようにするものはあった（例えば、特許文献３参照）。
【０００５】
また、音声についても、上述した制御（相手方から自分への音量の調整、消音）とは逆方向の制御（自分から相手への音声のコントロール）を行うものはなかった。
【０００６】
【特許文献１】特開２００３−３３３５５６号公報（第２頁、図１）
【特許文献２】特開２００３−１１０６６６号公報（第２頁、図１）
【特許文献３】特開２００２−２７１４５号公報（第２頁、図２）
【発明の開示】
【発明が解決しようとする課題】
【０００７】
上述した従来のＴＶ電話機能付き携帯電話端末では、映像設定をあらかじめ、きめておかなければならなかったり、設定が面倒であったりしていた。また、音声と映像の設定をそれぞれ独立に行わなければいけない構成となっていた。さらに映像については、相手方から自分へ送られてくる画像は見る、見ないの選択ができなかった。また音声については、自分から相手への音声はコントロールできない構成になっていた。
【０００８】
すなわち、従来のＴＶ電話機能付き携帯電話端末は、ＴＶ電話中に相手方で自分にとって嫌なものを映し出したりした場合には、映像表示自体をすぐに停止（ＯＦＦ）にするといった機能がなく、他の回避策も設定が深い階層まで入らなければいけなかったり、画面選択があったりしていた。また、電話であるため自分から相手への音を消すといった設定もなかったため、ＴＶ電話中に相手に聞かせてたくない声、音が入ってしまうことも考えられる（音声のみの電話であれば気にならないものも、映像と音が入るとリアリティが増すものである）。
【０００９】
映像、音声ともに表示を消したり、音量を調節する機能はあったものの、それぞれ独立して設定を行っていたため、映像、音声ともに同時に設定変更したい場合などは、非常に煩わしかった。
【００１０】
なお、映像と音声とを同時に停止する方法として、ＴＶ電話自体を保留状態にすることが考えられる。しかし、この方法では、自分から相手へ、及び相手から自分への映像と音声とが同時に停止してしまう。
【００１１】
本発明の目的は、ＴＶ電話中の映像、音声に対するＯＮ（所定の処理の実行）／ＯＦＦ（所定の処理の不実行）の設定変更を、使用者の意思により効率的に行うことを可能とし、上記煩わしさを軽減させるＴＶ電話機能付き携帯電話端末、及びその映像及び音声のＯＮ／ＯＦＦ制御方法を提供することにある
【課題を解決するための手段】
【００１２】
本発明の請求項１に係るＴＶ電話機能付き携帯電話端末は、移動通信網を含む網を介して相手の端末と接続され、ＴＶ電話のための映像情報及び音声情報を送受信するＴＶ電話機能付き携帯電話端末において、前記映像情報に対しＯＮまたはＯＦＦのいずれが設定されているか判定し、ＯＮならば当該映像情報に対する所定の処理を実行し、ＯＦＦならば当該映像情報に対する所定の処理を実行しない手段と、前記音声情報に対しＯＮまたはＯＦＦのいずれが設定されているか判定し、ＯＮならば当該音声情報に対する所定の処理を実行し、ＯＦＦならば当該音声情報に対する所定の処理を実行しない手段と、前記映像情報に対するＯＮ設定、またはＯＦＦ設定と、前記音声情報に対するＯＮ設定、またはＯＦＦ設定との複数の組合わせを、それぞれ対応する複数の設定種別として登録する手段と、前記複数の設定種別のうちのいずれか１つの設定種別を指定する入力情報を受け付ける手段と、前記入力情報により指定された設定種別に基づいて、前記映像情報に対するＯＮまたはＯＦＦのいずれかの設定と、前記音声情報に対するＯＮまたはＯＦＦのいずれかの設定とを同時に行う手段とを備える。
【００１３】
本発明の請求項２に係るＴＶ電話機能付き携帯電話端末は、請求項１に係るＴＶ電話機能付き携帯電話端末において、前記複数の設定種別の各々と、互いに異なるテンキーのうちのいずれか１つのキーとの対応情報を登録する手段を備え、前記登録されたテンキーのうちのいずれか１つのキーが押下されたことを検出すると、当該キー情報を前記設定種別を指定する入力情報とする構成を有する。
【００１４】
本発明の請求項３に係るＴＶ電話機能付き携帯電話端末は、請求項１、または２に係るＴＶ電話機能付き携帯電話端末において、前記映像情報に対する所定の処理は、自端末から相手端末への映像情報の送信処理であり、前記音声情報に対する所定の処理は、自端末から相手端末への音声情報の送信処理である構成を有する。
【００１５】
本発明の請求項４に係るＴＶ電話機能付き携帯電話端末は、請求項１、または２に係るＴＶ電話機能付き携帯電話端末において、前記映像情報に対する所定の処理は、相手端末から自端末へ送信された映像情報の可視表示処理であり、前記音声情報に対する所定の処理は、相手端末から自端末へ送信された音声情報の可聴出力処理である構成を有する。
【００１６】
本発明の請求項５に係るＴＶ電話機能付き携帯電話端末は、請求項１、または２に係るＴＶ電話機能付き携帯電話端末において、前記映像情報に対する所定の処理は、自端末から相手端末への映像情報の送信処理と、相手端末から自端末へ送信された映像情報の可視表示処理とであるとともに、前記音声情報に対する所定の処理は、自端末から相手端末への音声情報の送信処理と、相手端末から自端末へ送信された音声情報の可聴出力処理とであり、前記映像情報に対するＯＮ設定、またはＯＦＦ設定を、自端末から相手端末への映像情報と、相手端末から自端末への映像情報とでそれぞれ別々に設定するとともに、前記音声情報に対するＯＮ設定、またはＯＦＦ設定とを、自端末から相手端末への音声情報と、相手端末から自端末への音声情報とでそれぞれ別々に設定する構成を有する。
【００１７】
本発明の請求項６に係るＴＶ電話機能付き携帯電話端末は、請求項２に係るＴＶ電話機能付き携帯電話端末において、前記映像情報に対するＯＮ設定、またはＯＦＦ設定と、前記音声情報に対するＯＮ設定、またはＯＦＦ設定との全組合せのうちのいずれの組合わせを前記設定種別として登録するかの指定、及び前記登録対象の設定種別にいずれのキーを対応させるかの指定のうち、少なくともいずれか一方の指定を含む入力情報を受け付ける手段を有する。
【００１８】
本発明の請求項７に係るＴＶ電話機能付き携帯電話端末は、請求項３、４、または５に係るＴＶ電話機能付き携帯電話端末において、前記ＯＦＦ設定された映像情報及び前記音声情報を、再生処理可能な記憶手段に記憶させる手段を有する。
【００１９】
本発明の請求項８に係る映像及び音声のＯＮ／ＯＦＦ制御方法は、移動通信網を含む網を介して相手の端末と接続され、ＴＶ電話のための映像情報及び音声情報を送受信するＴＶ電話機能付き携帯電話端末における、映像情報及び音声情報とに対する所定の処理の実行／不実行を制御する方法であり、設定種別を指定する入力情報を受け付け、あらかじめ登録された、前記映像情報に対するＯＮ設定、またはＯＦＦ設定と、前記音声情報に対するＯＮ設定、またはＯＦＦ設定との複数の組合わせにそれぞれ対応する複数の設定種別を、前記指定された設定種別で検索し、前記指定された設定種別に対応する、前記映像情報に対するＯＮまたはＯＦＦのいずれかの設定と、前記音声情報に対するＯＮまたはＯＦＦのいずれかの設定とを同時に行い、前記映像情報に対し、ＯＮ設定していれば、当該映像情報に対する所定の処理を実行し、ＯＦＦ設定していれば、当該映像情報に対する所定の処理を実行せず、前記音声情報に対し、ＯＮ設定していれば、当該音声情報に対する所定の処理を実行し、ＯＦＦ設定していれば、当該音声情報に対する所定の処理を実行しない工程を有する。
【００２０】
本発明の請求項９に係る映像及び音声のＯＮ／ＯＦＦ制御方法は、請求項８に係る映像及び音声のＯＮ／ＯＦＦ制御方法において、テンキーのうちのいずれかのキーが押下されたことを検出し、あらかじめ登録された、前記複数の設定種別にそれぞれ対応するテンキーを、前記押下されたキーで検索し、前記押下されたキーに対応する設定種別を、前記入力情報で指定された設定種別とする工程を有する。
【００２１】
本発明の請求項１０に係る映像及び音声のＯＮ／ＯＦＦ制御方法は、請求項８、または９に係る映像及び音声のＯＮ／ＯＦＦ制御方法において、前記映像情報に対する所定の処理は、自端末から相手端末への映像情報の送信処理と、相手端末から自端末へ送信された映像情報の可視表示処理とであるとともに、前記音声情報に対する所定の処理は、自端末から相手端末への音声情報の送信処理と、相手端末から自端末へ送信された音声情報の可聴出力処理とであり、前記映像情報に対するＯＮ設定、またはＯＦＦ設定を、自端末から相手端末への映像情報と、相手端末から自端末への映像情報とでそれぞれ別々に設定するとともに、前記音声情報に対するＯＮ設定、またはＯＦＦ設定とを、自端末から相手端末への音声情報と、相手端末から自端末への音声情報とでそれぞれ別々に設定する工程を有する。
【００２２】
本発明の請求項１１に係る映像及び音声のＯＮ／ＯＦＦ制御方法は、請求項９に係る映像及び音声のＯＮ／ＯＦＦ制御方法において、前記映像情報に対するＯＮ設定、またはＯＦＦ設定と、前記音声情報に対するＯＮ設定、またはＯＦＦ設定との全組合せのうちのいずれの組合わせを前記設定種別として登録するかの指定、及び前記登録対象の設定種別にいずれのキーを対応させるかの指定のうち、少なくともいずれか一方の指定を含む入力情報を受け付ける工程を有する。
【００２３】
本発明の請求項１２に係る映像及び音声のＯＮ／ＯＦＦ制御方法は、請求項１０に係る映像及び音声のＯＮ／ＯＦＦ制御方法において、前記ＯＦＦ設定された映像情報及び前記音声情報を、再生処理可能な記憶手段に記憶させる工程を有する。
【発明の効果】
【００２４】
本発明では、映像情報と、音声情報との両方に対するＯＮ設定（所定の処理の実行）／ＯＦＦ設定（所定の処理の不実行）の各組合わせを複数の設定種別に対応付け、組合わせ（設定種別）ごとに、ひとつずつテンキーのいずれかのキー入力などの入力情報に対応付けている。このため、操作性が改善され、使用者の意思により瞬間的に、映像情報と、音声情報との両方同時の設定切り替えが可能となる。
【発明を実施するための最良の形態】
【００２５】
本発明の概要を説明する。最近の携帯電話の発展は目覚しく、動画撮影機能やＴＶ（テレビ）機能を有する携帯電話端末も開発されている。さらに、ＩＰ（インターネット・プロトコル）パケット網などを利用してＴＶ電話通信を行うＴＶ電話機能付き携帯電話端末もある。本発明は、ＴＶ電話機能付き携帯電話端末によるＴＶ電話中に、使用者（携帯者）の意思により、ワンタッチで自分から相手方、または、相手方から自分への音声および映像のＯＮ（オン）／ＯＦＦ（オフ）の設定（モード）を変更できる機能を提供する。
【００２６】
なお、ＯＮとは、所定の処理の実行指定、ＯＦＦとは、所定の処理の不実行指定を示す。自分から相手方への映像ＯＮとは、自分の映像を相手に送る状態、自分から相手方への音声ＯＮとは、自分の音声を相手に送る状態である。自分から相手方への映像ＯＦＦとは、自分の映像を相手に送らない状態、自分から相手方への音声ＯＦＦとは、自分の音声を相手に送らない状態である。また、相手方から自分への映像ＯＮとは、相手の映像を可視表示している状態、相手方から自分への音声ＯＮとは、相手の音声を可聴出力している状態である。相手方から自分への映像ＯＦＦとは、相手の映像を可視表示していない状態、相手方から自分への音声ＯＦＦとは、相手の音声を可聴出力していない状態である。
【００２７】
上述の機能を実現するために、本発明のＴＶ電話機能付き携帯電話端末では、下記手段を有している。第１の手段として、映像と音声の両方のＯＮ／ＯＦＦの設定ごとに１つの組（設定種別、モード）とし、組の個数分の複数の設定種別を登録した手段を有している。これにより映像と音声を別々に設定する煩わしさを軽減できる。第２の手段として、第１の手段として設定したもの（各設定種別）をテンキーの１つずつに割り当てる構成としている。これによりＴＶ電話中であっても、使用者（携帯者）の意思により、すばやくワンタッチで切り替えることができる。第３の手段としては、自分から相手への設定と相手から自分への設定をそれぞれに設定できる手段を有している。これにより、ＴＶ電話中での瞬間的なモード切り替え要求に対応してすぐに通話設定を切り替えることができ、相手の姿を見たくない場合や自分側の音を相手方に知られたくないようなときも迅速な対応が可能になった。
【００２８】
次に、本発明の実施例について図面を参照して詳細に説明する。
【実施例１】
【００２９】
図１は本発明の第１の実施例（実施例１）を示すブロック構成図である。
【００３０】
図１において、本例のＴＶ電話機能付き携帯電話端末１は、全体の制御を行う制御部１２と、図示していない移動通信システム（網）の基地局との間で無線信号により送受信を行う無線部１１とを有している。移動通信網には、インターネット等の他の網も接続可能である。ＴＶ電話機能付き携帯電話端末１は、これらの網を介して、他のＴＶ電話機能付き電話端末（携帯電話端末）との間で通常の電話通信や、ＴＶ電話通信を行うことができる。
【００３１】
本携帯電話端末１による通話時には、マイク（マイクロフォン：送話器）１４及びレシーバ（受話器）１３を用いる。すなわち、携帯者（使用者）からの送話音声は、マイク１４により音声信号に変換され、制御部１２を介して音声データ化され、無線部１１で無線信号に変調され、網を介して通信相手先に向けて送信される。無線部１１で受信、復調された通信相手先からの信号（音声データ）は、制御部１２を介し、音声信号に変換された後、レシーバ１３から携帯者への受話音声として出力される。
【００３２】
レシーバ１３としては、携帯電話端末本体に直接取り付けられたスピーカや、本体にコネクタ接続され携帯者の耳に装着されるイヤホンなどがある。イヤホンを接続すると、スピーカからの音声出力は切断される。なお、スピーカを使用するときは、マイク１４を介したループ（ハウリング）を防止するための手段を制御部１２に組み込んでおく。
【００３３】
携帯者が電話番号を入力する時や、メールを作成、送付する時、他の機能を選択する時は、制御部１２の制御の下、テンキー・スイッチ（以下、テンキーと略記）１６や、各機能毎に割り振られたスイッチ（ＳＷ）１５を操作することで行う。
【００３４】
制御部１２はまた、携帯者への表示情報を、表示用駆動制御部（表示ＤＲＩＶ）２１を介して、表示部２２に表示する。表示部２２は、ＬＣＤ（液晶ディスプレイ）で構成される。
【００３５】
制御部１２は、メッセージ情報や、電話番号情報（電話帳）などを、メモリ１７に記憶する。なお、制御部１２は、自身の動作に直接必要なデータは、メモリ１７に記憶するようにしてもよいが、通常は内蔵する書換え可能な不揮発性メモリに記憶する。
【００３６】
また、本携帯電話端末１は、付加機能としてＴＶ電話機能を有しており、本体前面に携帯者を撮影するための前面カメラ１８を有しており、本体背面にも風景や、他の被写体を撮影するための背面カメラ１９を有している。またマイクとしても、上述した音声通話のためのマイク１４を本体前面に有しているが、本体背面にも、背面カメラ１９により風景や、他の被写体を撮影する時に集音するための背面マイク２０を有している。
【００３７】
制御部１２は、前面カメラ１８及び背面カメラ１９によりＴＶ電話として撮影された画像を画像データに変換し、マイク１４及び背面マイク２０によりＴＶ電話として集音された音声を音声データに変換する。制御部１２はまた、前面カメラ１８及び背面カメラ１９によりＴＶ電話として撮影された画像を、表示ＤＲＩＶ２１を介し表示部２２に画面表示（モニタ表示）することができる。
【００３８】
制御部１２で作成された画像データ、及び音声データはともに、無線部１１から網に送出される。網では、相手のＴＶ電話機能付き電話端末（携帯電話端末）へ、これらの画像データと音声データとを送り、相手方とのＴＶ電話通話を可能とする。
【００３９】
相手のＴＶ電話機能付き電話端末からの画像データと音声データとは、網を介して無線部１１に入力される。制御部１２は、無線部１１から受信した画像データ及び音声データに基づき、表示ＤＲＩＶ２１を介して表示部２２に画面表示させ、レシーバ１３から音声出力させる。
【００４０】
本発明の特徴の１つは、制御部１２にＴＶ電話映像／音声制御部１２１を有している点である。ＴＶ電話映像／音声制御部１２１は、携帯者によるテンキー１６押下により、あらかじめ決められた設定に基づいて、ＴＶ電話通話時の、映像のＯＮ／ＯＦＦおよび音声のＯＮ／ＯＦＦの切り替え設定を行う。
【００４１】
なお、映像のＯＮとは、自分から相手への映像に関する場合は、カメラ撮影による画像データの送信処理を行うこと、相手から自分への映像に関する場合は、受信した画像データの表示部への画面表示処理を行うことを意味する。逆に、映像のＯＦＦとは、自分から相手への映像に関する場合は、カメラ撮影による画像データの送信処理を行わないこと、相手から自分への映像に関する場合は、受信した画像データの表示部への画面表示処理を行わないことを意味する。
【００４２】
また、音声のＯＮとは、自分から相手への音声に関する場合は、マイク入力による音声データの送信処理を行うこと、相手から自分への音声に関する場合は、受信した音声データのレシーバへの音声出力処理を行うことを意味する。逆に、音声のＯＦＦとは、自分から相手への音声に関する場合は、マイク入力による音声データの送信処理を行わないこと、相手から自分への音声に関する場合は、受信した音声データのレシーバへの音声出力処理を行わないことを意味する。
【００４３】
図２は、本例のＴＶ電話機能付き携帯電話端末１の外観構成例を示す模式図であり、折畳型携帯電話端末に適用した例を示す。図２の分図（Ａ）は、折畳型携帯電話端末の前面、分図（Ｂ）は、同端末の背面を示す。
【００４４】
図２において、ＴＶ電話機能付き携帯電話端末１は、ヒンジ接続された、上側筐体２と、下側筐体３とから成る。上側筐体２の前面には、レシーバ１３と、前面カメラ１８と、表示部２２とが配置されている。上側筐体２の背面には、背面カメラ１９と、背面マイク２０とが配置されている。下側筐体３の前面には、マイク１４と、テンキー１６と、各種スイッチ（各ＳＷ１５）とが配置されている。
【００４５】
テンキー１６は、「０」〜「９」の各数字キーと、「＊」キーと、「＃」キーとから成る。
【００４６】
次に、本例のＴＶ電話機能付き携帯電話端末１における、映像、音声のＯＮ／ＯＦＦの設定（モード）と、テンキー１６中の特定キーへの割り当てとを、図６を参照して説明する。なお、これら設定（モード）の内容と、特定キーへの割り当て情報とは、ＴＶ電話映像／音声制御部１２１に格納されている。格納方法としては、あらかじめ外部から書き込む方法や、後に説明する携帯者が任意に書き込む方法などがある。
【００４７】
まず、設定１（モード１）においては、映像ＯＮ、音声ＯＮの設定となっており、この場合、自分の携帯電話端末から相手の携帯電話端末へは、映像も音声も通常に送られる状態となっている。この状態への設定はテンキー１６のうち、「７」キーが割り当てられている。つまり、映像ＯＮ、音声ＯＮ以外の設定の時に、ＴＶ電話中に「７」キーを押下することでこのモードへ切り替えることができる。
【００４８】
次に、設定２（モード２）においては、映像ＯＮ、音声ＯＦＦの設定となっており、この場合、自分の携帯電話端末から相手の携帯電話端末へは、映像は通常に送られるが、音声は送られない状態となっている。この状態への設定はテンキー１６のうち、「８」キーが割り当てられている。
【００４９】
最後に、設定３（モード３）においては、映像ＯＦＦ、音声ＯＮの設定となっており、この場合、自分の携帯電話端末から相手の携帯電話端末へは、音声は通常に送られるが、映像は送られない状態となっている（音声のみの通話状態）。この状態への設定はテンキー１６のうち、「９」キーが割り当てられている。
【００５０】
また、映像ＯＦＦ、音声ＯＦＦの状態は、何も接続されていない状態なので本実施例では設定から除外している。
【００５１】
図５は、本例のＴＶ電話機能付き携帯電話端末１における、ＴＶ電話中の設定切り替えの状態遷移図である。
【００５２】
図５において、ＴＶ電話の通話状態として、状態Ｓ４０１、状態Ｓ４０２、状態Ｓ４０３の３つの状態がある。その他に、待ち受け状態Ｓ４００がある。
【００５３】
状態Ｓ４０１は、設定１の状態であり、映像ＯＮ、音声ＯＮの状態である。状態Ｓ４０２は、設定２の状態であり、映像ＯＮ、音声ＯＦＦの状態である。状態Ｓ４０３は、設定３の状態であり、映像ＯＦＦ、音声ＯＮの状態である。
【００５４】
今、映像ＯＮ、音声ＯＮ（状態Ｓ４０１）だったとすると、設定切り替えはＴＶ電話終了→待ちうけ復帰も含めて３種類の遷移が考えられる。すなわち、テンキー１６の「８」キー押下による映像ＯＮ、音声ＯＦＦ（状態Ｓ４０２）への遷移と、テンキー１６の「９」キー押下による映像ＯＦＦ、音声ＯＮ（状態Ｓ４０３）への遷移とがある。また、ＴＶ電話を終了し待ちうけ状態（状態Ｓ４００）へ戻る遷移がある。
【００５５】
同様にして、映像ＯＮ、音声ＯＦＦ（状態Ｓ４０２）を起点とすると、設定切り替えは、テンキー１６の「「７」キー押下による映像ＯＮ、音声ＯＮ（状態Ｓ４０１）への遷移と、「９」キー押下による映像ＯＦＦ、音声ＯＮ（状態Ｓ４０３）への遷移とがある。また、ＴＶ電話を終了し待ちうけ状態（状態Ｓ４００）へ戻る遷移がある。
【００５６】
さらに同様にして、映像ＯＦＦ、音声ＯＮ（状態Ｓ４０３）を起点とすると、設定切り替えは、「７」キー押下による映像ＯＮ、音声ＯＮ（状態Ｓ４０１）への遷移と、「８」キー押下による映像ＯＮ、音声ＯＦＦ（状態Ｓ４０２）への遷移とがある。また、ＴＶ電話を終了し待ちうけ状態（状態Ｓ４００）へ戻る遷移がある。
【００５７】
次に、図１，２，５，６とともに、図３，４のフローチャートを参照して、本例のＴＶ電話機能付き携帯電話端末１の動作について説明する。なお、図３の出力コネクタＡ，Ｂ，Ｃはそれぞれ、図４の入力コネクタＡ，Ｂ，Ｃに接続される。図４の出力コネクタＤは、図３の入力コネクタＤに接続される。
【００５８】
本発明の携帯者の操作によるＴＶ電話通話時の映像および音声の切り替え設定を、以下の動作により行う。
【００５９】
スタート時点から、携帯電話端末は、ＴＶ電話で通話状態にあるとする（ステップＳ１０１）。この状態のとき、ＴＶ電話による通話を続ける場合は（ステップＳ１０２のＹ側）、ステップＳ１０３の処理へ進む。通話を終了する場合は（ステップＳ１０２のＮ側→ステップＳ１６１のＹ側）、スイッチ操作を行い、待ちうけ状態に戻る（ステップＳ１６２）。
【００６０】
ＴＶ電話での通話を行っている時の映像及び音声のＯＮ／ＯＦＦ設定は、以下のような組合せがある。
【００６１】
自分から相手先のＴＶ電話付き携帯電話に対して、映像ＯＮ、音声ＯＮであれば（ステップＳ１０３のＹ側）、通常の状態（映像ＯＮ、音声ＯＮ）でＴＶ電話による通話を行っている（ステップＳ１０４）。上述したように、ここで言う映像ＯＮとは、自分の映像を相手の携帯電話に送っている状態、音声ＯＮとは、自分の音声を相手の携帯電話に送っている状態である。
【００６２】
また、現状の状態が、映像ＯＮ、音声ＯＦＦでＴＶ電話を行っていることや（ステップＳ１２１のＹ側→ステップＳ１２２）、映像ＯＦＦ、音声ＯＮでＴＶ電話を行っていることもある（ステップＳ１２１のＮ側→ステップＳ１４１）。
【００６３】
今、映像ＯＮ、音声ＯＮでＴＶ電話通話を行っているが（ステップＳ１０４）、携帯者が何らかの理由により設定（モード）を変更しようとする要望があれば（ステップＳ１０５のＹ側）、テンキー１６の押下により他のモードへの切り替えを行う。
【００６４】
例えば、映像ＯＮ、音声ＯＦＦに変更する場合は（ステップＳ１０６のＹ側）、テンキー１６のうちの「８」キーを押下する（ステップＳ２１１）。テンキー「８」が押下されると、ＴＶ電話映像／音声制御部１２１へ信号が送出され、ＴＶ電話映像／音声制御部１２１では、映像ＯＮ、音声ＯＦＦの設定に変更する（ステップＳ２１２）。変更された後は、変更後のモードでのＴＶ電話通話状態となる（ステップＳ１０１）。
【００６５】
一方、ステップＳ１０６の処理で、映像ＯＦＦ、音声ＯＮに変更しようとした場合は（ステップＳ１０６のＮ側→ステップＳ１１１）、テンキーのうちの「９」キーを押下する（ステップＳ２２１）。テンキー「９」が押下されると、ＴＶ電話映像／音声制御部１２１へ信号が送出され、ＴＶ電話映像／音声制御部１２１では、映像ＯＦＦ、音声ＯＮの設定に変更する（ステップＳ２２２）。変更された後は、変更後のモードでのＴＶ電話通話状態となる（ステップＳ１０１）。
【００６６】
ここまで説明したのは、現状が映像ＯＮ、音声ＯＮのときに他の設定に切り替える動作である。同様にして次は、現状が映像ＯＮ、音声ＯＦＦの場合を説明する。
【００６７】
今、映像ＯＮ、音声ＯＦＦでＴＶ電話通話を行っているが（ステップＳ１２２）、携帯者が何らかの理由により設定（モード）を変更しようとする要望があれば（ステップＳ１２３のＹ側）、テンキー１６の押下により他のモードへの切り替えを行う。
【００６８】
例えば、映像ＯＦＦ、音声ＯＮに変更する場合は（ステップＳ１２４のＹ側）、テンキー１６のうちの「９」キーを押下する（ステップＳ２２１）。テンキー「９」が押下されると、ＴＶ電話映像／音声制御部１２１へ信号が送出され、ＴＶ電話映像／音声制御部１２１では、映像ＯＦＦ、音声ＯＮの設定に変更する（ステップＳ２２２）。変更された後は、変更後のモードでのＴＶ電話通話状態となる（ステップＳ１０１）。
【００６９】
一方、ステップＳ１２４の処理で、映像ＯＮ、音声ＯＮに変更しようとした場合（は（ステップＳ１２４のＮ側→ステップＳ１３１）、テンキー１６のうちの「７」キーを押下する（ステップＳ２０１）。テンキー「７」が押下されると、ＴＶ電話映像／音声制御部１２１へ信号が送出され、ＴＶ電話映像／音声制御部１２１では、映像ＯＮ、音声ＯＮの設定に変更する（ステップＳ２０２）。変更された後は、変更後のモードでのＴＶ電話通話状態となる（ステップＳ１０１）。
【００７０】
最後にこれも同様であるが、現状が映像ＯＦＦ、音声ＯＮの場合を説明する。
【００７１】
今、映像ＯＦＦ、音声ＯＮでＴＶ電話通話を行っているが、（ステップＳ１４１）、携帯者が何らかの理由により設定（モード）を変更しようとする要望があれば（ステップＳ１２３のＹ側）、テンキー１６の押下により他のモードへの切り替えを行う。
【００７２】
例えば、映像ＯＮ、音声ＯＮに変更する場合は（ステップＳ１４３のＹ側）、テンキー１６のうちの「７」キーを押下する（ステップＳ２０１）。テンキー「７」が押下されると、ＴＶ電話映像／音声制御部１２１へ信号が送出され、ＴＶ電話映像／音声制御部１２１では、映像ＯＮ、音声ＯＮの設定に変更する（ステップＳ２０２）。変更された後は、変更後のモードでのＴＶ電話通話状態となる（ステップＳ１０１）。
【００７３】
一方、ステップＳ１４３の処理で、映像ＯＮ、音声ＯＦＦに変更しようとした場合は（ステップＳ１４３のＮ側→ステップＳ１５１）、テンキーのうちの「８」キーを押下する（ステップＳ２１１）。テンキー「８」が押下されると、ＴＶ電話映像／音声制御部１２１へ信号が送出され、ＴＶ電話映像／音声制御部１２１では、映像ＯＮ、音声ＯＦＦの設定に変更する（ステップＳ２１２）。変更された後は、変更後のモードでのＴＶ電話通話状態となる（ステップＳ１０１）。
【００７４】
以上説明したように、本実施例では、自分から相手への映像及び音声のＯＮ／ＯＦＦの組合せごとにモードを設定し、特定の１つのキー（テンキーの１つ）を割り当てているので、キーの操作に手間がかからず、瞬間的にモードを切り替えることができる。このため、相手に見せたくない映像や聞かせたくない音声など不具合が発生した時点で、送信したくない情報のみを正確に、迅速且つ容易に送信を停止することができる。また、これら不具合が解消した時点でも、迅速且つ容易に送信を再開することができる。
【００７５】
次に、本発明の他の実施例を説明する。
【実施例２】
【００７６】
上述した実施例１のＴＶ電話機能付き携帯電話端末は、自分から相手に送信する映像と音声とについてのみ、ＯＮ／ＯＦＦ制御の対象としている。しかし、本実施例２のＴＶ電話機能付き携帯電話端末は、相手から自分に送信されてくる映像と音声とについても、ＯＮ／ＯＦＦ制御の対象としている。すなわち、本例のＴＶ電話機能付き携帯電話端末は、自端末から相手端末への映像及び音声の送信ＯＮ／ＯＦＦを設定できる他に、相手端末から自端末への映像及び音声の受信ＯＮ／ＯＦＦを設定できる手段（ＴＶ電話映像／音声制御部１２１）を有している。その他の構成や、機能は、実施例１のものと同様である。
【００７７】
実施例２における映像及び音声に対するＯＮ／ＯＦＦ制御の機能設定は、実施例１におけるそれと同様である。すなわち、図６に示す各機能設定（設定１（モード１）〜設定３（モード３））における、テンキー割り当て、映像及び音声のＯＮ／ＯＦＦの値はそのままに、動作内容に、相手から自分への映像及び音声に対する処理を追加する。これらの処理はＴＶ電話映像／音声制御部１２１の制御により行われる。
【００７８】
例えば、設定１の場合は、「７」キー押下で状態遷移され、相手は自分の映像、音声ともに確認可能であるとともに、自分も相手の映像、音声ともに確認できる（通常のＴＶ電話通信）。設定２の場合は、「８」キー押下で状態遷移され、相手は自分の映像のみ見れるとともに、自分も相手の映像のみ見れる。設定３の場合は、「９」キー押下で状態遷移され、相手は自分の音声のみ聞けるとともに、自分も相手の音声のみ聞ける。
【実施例３】
【００７９】
上述した実施例２のＴＶ電話機能付き携帯電話端末では、自分から相手への映像及び音声のＯＮ／ＯＦＦ制御を行うテンキーと、相手から自分への映像及び音声のＯＮ／ＯＦＦ制御を行うテンキーとを同一のキーとしている。しかし、本実施例３のＴＶ電話機能付き携帯電話端末は、自分から相手への映像及び音声のＯＮ／ＯＦＦ制御を行うテンキーと、相手から自分への映像及び音声のＯＮ／ＯＦＦ制御を行うテンキーとを別々のキーとしている。
【００８０】
図７は、本例のＴＶ電話機能付き携帯電話端末における、映像及び音声に対するＯＮ／ＯＦＦ制御の機能設定例を示す。図７において、設定１（モード１）〜設定３（モード３）は、自分の携帯電話端末から相手の携帯電話端末への映像、音声の送信ＯＮ／ＯＦＦの設定を示し、実施例１のものと同一である。設定４（モード４）〜設定６（モード６）は、相手の携帯電話端末から送られてくる映像、音声を自分の携帯電話端末で表示あるいは音声として出力するかを制御する受信ＯＮ／ＯＦＦ設定である。この設定４〜設定６が、実施例３の特徴点である。
【００８１】
設定１〜設定３の自分から相手への映像、音声の送信ＯＮ／ＯＦＦ設定は、上述した実施例１と同じなので説明を省略する。設定４〜設定６の相手から自分へ送られてくる映像、音声を自分の携帯電話端末で出力する処理について説明する。これらの処理はＴＶ電話映像／音声制御部１２１の制御により行われる。
【００８２】
設定４（モード４）においては、映像ＯＮ、音声ＯＮの設定となっている。この場合、相手の携帯電話端末から自分の携帯電話端末へは、映像も音声も通常に送られ、両者とも使用できる状態となっている。この状態への設定（遷移）はテンキー１６のうちの「４」キーが割り当てられている。つまり、ＴＶ電話中にテンキー「４」を押下することでこのモードに切り替えることができる。
【００８３】
次に、設定５（モード５）においては、映像ＯＮ、音声ＯＦＦの設定となっている。この場合、相手の携帯電話端末から自分の携帯電話端末へは、映像、音声データともに通常に送られるが、自分の携帯電話で音声は出力しない状態となっている（映像は表示）。この状態への設定（遷移）はテンキー１６のうちの「５」キーが割り当てられている。
【００８４】
最後に、設定６（モード６）においては、映像ＯＦＦ、音声ＯＮの設定となっている。この場合、相手の携帯電話端末から自分の携帯電話端末へは、映像、音声データともに通常に送られるが、自分の携帯電話端末で映像は表示部へ表示しない状態となっている（音声は出力）。この状態への設定（遷移）はテンキーのうちの「６」キーが割り当てられている。
【００８５】
本実施例に拠れば、自分から相手、相手から自分への各方向において、それぞれ独立して、映像及び音声のＯＮ／ＯＦＦ制御ができる。例えば、相手が自分の見たくないものを映した場合や、自分のほうで聞かれたくない声、音が入った場合、瞬間的に見ないようにできたり、相手に音を聞かれないように設定することができる。
【００８６】
また、他人が近くにいないと思って相手からの映像や音声を自分の携帯端末装置に出力しているときに、見られたり聞かれたりする虞のある背後の通行人に気がついた場合など、あわてることなく切り替えが可能になる。
【００８７】
なお、上述の場合のように、相手からの映像及び音声の受信ＯＮ／ＯＦＦ制御のみで十分な場合は、設定１〜設定３を設けずに、設定４〜設定６だけを設けるようにすることができる。
【実施例４】
【００８８】
上述した実施例１〜３においては、映像ＯＦＦ、音声ＯＦＦの状態は、何も接続されていない状態として、設定からは除外している。しかし、瞬間的な保留を必要とするときや、録画及び録音機能を有するときは、映像ＯＦＦ、音声ＯＦＦの設定（モード）を設けるようにすることができる。
【００８９】
ここで、実施例３のＴＶ電話機能付き携帯電話端末に、この映像ＯＦＦ、音声ＯＦＦの
モードを追加したものを実施例４として説明する。
【００９０】
設定７（モード７）として、自分から相手への映像及び音声ともにＯＦＦ（送信停止）とする設定を設ける。このモード７への設定（遷移）は、例えばテンキー１６のうちの「０」キーを割当てる。
【００９１】
設定８（モード８）として、相手から自分への映像及び音声ともにＯＦＦ（可視出力及び可聴出力停止）とする設定を設ける。このモード８への設定（遷移）は、例えばテンキー１６のうちの「１」キーを割当てる。
【００９２】
モード８（設定８）に設定した場合でも、相手の携帯電話端末から自分の携帯電話端末へは、映像データ、音声データともに通常に送られて来ている。そこで、適切な録画手段及び録音手段へこれらデータを記録しておくことができる。例えば、メモリ１６を大容量なメモリで構成し、制御部１２の制御の下、相手からの映像データ、音声データを保存する。他人に、見られたり、聞かれたりする虞がなくなった時点で、携帯者があらかじめ設定されたスイッチ（ＳＷ）１５を操作し、保存データの再生を指定する。スイッチ１５の操作を認識した制御部１２は、メモリ１６から映像データ、音声データを読み出し、表示部２２に可視表示させ、レシーバ１３に可聴出力させる。
【００９３】
なお、ＯＦＦ設定時に、相手からの映像データや音声データを出力させずにメモリ１６に保存しておくようにすることは、モード８に限らず、モード５，６においても行うようにすることができる。
【００９４】
さらに、自分から相手への映像及び音声のＯＦＦ設定を行う、モード２，３，７においても、同様の処理を行うようにすることができる。すなわち、ＯＦＦ設定時に、映像データや音声データを、相手へ送信しないけれども、メモリ１６に保存しておくようにすることができる。この場合、携帯者は、後に、保存したデータを再生してみて、本当に送信してはいけないかどうか判断し、送信してもかまわなければ、改めて送信するようにすることができる。
【実施例５】
【００９５】
本発明のＴＶ電話機能付き携帯電話端末に、図６，７に示すような上述の実施例１〜４で説明した映像及び音声のＯＮ／ＯＦＦ制御の設定（モード）を登録する方法としては、製造時にあらかじめ登録しておく他に、次のような方法がある。すなわち、携帯者のキー入力操作により、任意に設定する方法である。
【００９６】
携帯者が、各スイッチ１５のうち、モード登録のためにあらかじめ設定された特定のスイッチを押下する。制御部１２は、この特定スイッチの押下を検出すると、表示部２２に登録設定画面を表示し、携帯者からのキー操作入力を待つ。制御部１２は、携帯者からのキー操作入力に応じて、設定を登録する。
【００９７】
ここで、各モード１〜８（設定１〜８）おける、映像及び音声の送信方向（自分から相手／相手から自分）、映像のＯＮ／ＯＦＦ、音声のＯＮ／ＯＦＦとを、実施例４と同一とする。この場合の入力項目としては、モード番号（モード１〜モード８）の指定、当該モードを有効とするか否かの指定、当該モードのテンキー割り当て指定がある。他の入力項目としては、映像あるいは音声のＯＦＦ設定時に、対象データをメモリに記憶させるか否かの指定も考えられる。
【００９８】
本実施例によれば、携帯者からの指定により、モード１〜８（設定１〜８）ごとに、当該モードを有効か無効か選択し、有効な場合には、そのモードにするためのテンキーを任意に選択することができる。
【図面の簡単な説明】
【００９９】
【図１】本発明の一実施例のブロック構成を示す図である。
【図２】分図（Ａ）及び（Ｂ）は、図１に示す実施例の外観構成を示す図である。
【図３】本発明の一実施例の動作フローを示す第１の図である。
【図４】本発明の一実施例の動作フローを示す第２の図である。
【図５】図３，４に示す設定切り替え動作時の状態遷移を示す図である。
【図６】本発明の一実施例の機能設定例を示す図である。
【図７】本発明の他の実施例の機能設定例を示す図である。
【符号の説明】
【０１００】
１    ＴＶ電話機能付き携帯電話端末
１１    無線部
１２    制御部
１３    レシーバ
１４    マイク
１６    テンキー
１５    スイッチ
１８    前面カメラ
１９    背面カメラ
２０    背面マイク
２１    表示用駆動制御部（表示ＤＲＩＶ）
２２    表示部
１２１    ＴＶ電話映像／音声制御部
【図１】
2006100980.tif 000003
【図２】
2006100980.tif 000004
【図３】
2006100980.tif 000005
【図４】
2006100980.tif 000006
【図５】
2006100980.tif 000007
【図６】
2006100980.tif 000008
【図７】
2006100980.tif 000009